(57)【要約】【課題】  袋状のフレックスコンテナには胴回りの大きさに何種類かのサイズがあるとともに、その断面形状にも丸や四角の形状のものが存在する。このように形状とサイズの異なった多くの種類のフレックスコンテナに共用でき、フレックスコンテナに充填物を投入し易いように開口した形状を安定して支持するフレックスコンテナ開口支持機器が利用者から要望されていた。【解決手段】  胴回りの大きさに何種類かのサイズやその断面形状においても差異のあるフレックスコンテナを開口した状態で共通に支持するため複数の支柱を台枠に固着して設け、該支柱にはじん性の大きいばね鋼等の棒材をもちいる。このことにより複数の支柱が適宜な復元力を持ちつつ揺動自在な可撓状態を現出することを特徴とするフレックスコンテナ開口支持ができ、何種類かの形状とサイズの異なったフレックスコンテナを開口維持することが可能な構成。【選択図】図２
2012201415.tif 000002
【特許請求の範囲】
【請求項１】
胴回りの大きさに何種類かのサイズやその断面形状において差異のあるフレックスコンテナを開口した状態を維持するため、複数の支柱を台枠に固着して設け、該支柱にはじん性の大きいばね鋼等の棒材をもちいる。このことにより複数の支柱が適宜な復元力を持ちつつ、揺動自在な可撓状態を現出して、開口したフレックスコンテナを安定した状態で支持することを特徴とするフレックスコンテナ開口支持機器。
【発明の詳細な説明】
【技術分野】
【０００１】  本発明は袋状のフレックスコンテナを充填物を投入し易いように開口した形状で支持するフレックスコンテ開口支持機器に関する。
【背景技術】
【０００２】  袋状のフレックスコンテナには胴回りの大きさに何種類かのサイズがあるとともに、その断面形状にも丸や四角の形状のものが存在する。【０００３】  現状では何種類かのサイズと丸や四角の断面形状の違いに対応できるフレックスコンテナの開口支持具は存在していない。
【発明の開示】
【発明が解決しようとする課題】
【０００４】  従来のような台枠にフレックスコンテナの支持剛性の大きい支柱を固着して設けたた場合、形状とサイズの異なったフレックスコンテナの種類にあわせてそれぞれに合ったフレックスコンテナ開口支持機器を用意する必要があった。【０００５】  このように形状とサイズの異なった多くの種類のフレックスコンテナに共用でき、フレックスコンテナに充填物を投入し易いように開口した形状状態を維持するフレックスコンテナ開口支持機器が利用者から要望されていた。
【課題を解決するための手段】
【０００６】  袋状のフレックスコンテナには胴回りの大きさに何種類かのサイズがあるとともに、その断面形状にも丸や四角の形状のものが存在するので、このように形状とサイズの異なった多くの種類のフレックスコンテナに共用できる特性を有するのフレックスコンテナ開口支持機器を創造すること。【０００７】  胴回りの大きさに何種類かのサイズやその断面形状においても差異のあるフレックスコンテナを開口した形状状態で支持するための台枠に固着する複数の支柱に、じん性の大きいばね鋼等の条材をもちいる。該条材には中実状、中空状式等の断面様式ほかを用いる。【０００８】  直立する複数の支柱が適宜な復元力を持ち、揺動が大きく可能な可撓状態を現出することによって、何種類かの形状とサイズの異なったフレックスコンテナを開口状態に支持することが可能な共用構造を得ること。
【発明の効果】
【０００９】  フレックスコンテナを開口した形状で支持するための台枠に固着して設ける複数の支柱にじん性の大きいばね鋼等の棒状材をもちいることにより、複数の支柱が適宜な側方復元力を持ちつつ大きく揺動自在な可撓状態享受する効果には、複数の種類とサイズの異なるフレックスコンテナに対して共用使用可能となったこと。【００１０】  該支柱の基準的配置位置をサイズの大きいフレックスコンテナに合わせて、複数の支柱を直立状態になるよう位置せしめ、適宜な復元力を持ちつつ揺動自在な可撓状態を保有させることにより、該支柱を中心側に傾倒させつつフレックスコンテナの上方耳部を各支柱の先端部に折り返して係合することによって容易にフレックスコンテナの設置が可能で、支柱が傾倒する範囲内で大きいサイズから小さいサイズのフレックスコンテナに対して共用することが可能で、かつ各可撓性を有する支柱の元位置への復元力でフレックスコンテナの開口部は常に側方に緊張状態を維持できる効果が得られる。【００１１】  それぞれの支柱が全方位へ揺動変位するので、収容物をフレックスコンテナに詰める段階で、充填に用いるクレーンや作業重機および容器の一部がフレックスコンテナや支柱に当接した場合においても、その作用力を受けた支柱が撓むことで当該部分の変形や破損を最小限に軽減できる。【００１２】  内容物を収容した満杯のフレックスコンテナの開口耳部を各支柱の上端部から外して、フレックスコンテナの吊手でクレーンや作業重機で吊上げるときは、夫々の支柱が揺動自在な可撓状態を保有することにより自動的に垂直状態に戻るとともに、場合によっては支柱はフレックスコンテナの移動変移に合わせて周囲外方側に傾倒することにより更に吊上げを容易に行える効果を得る。【００１３】  其々の支柱上端位置に環状のフックを固着して設け、フレックスコンテナ開口支持機器の移動時に吊手として用いる。また、大投影面でフレックスコンテナの耳部の破損を防止する。【００１４】  フレックスコンテナの丸や四角の形状に対しては、支柱に可撓状態を保有させたことによりフレックスコンテナの胴部分の布幅をいっぱいに緊張させて開口するで、フレックスコンテナの丸や四角の形状に関係なく共通に適用が可能である。
【発明を実施するための最良の形態】
【００１５】  以下本発明の実施の形態として実施例を［図１］、［図２］に基づいて説明する。【００１６】  フレックスコンテナ開口支持機器の構成は台枠１の外方側端部にフレックスコンテナの丈に適合する長さのじん性の大きいばね鋼等の棒状の支柱２を固着して設ける。台枠１の内側に当る他端には接合材４を固着して設ける。【００１７】  支柱２の上端には環状のフック３を固着して設ける。【００１８】  接合材４は複数の台枠１を中心部で接合するためのもので、接合材４に設けた接合孔６と台枠１に設けた接合孔６を図示していない釘鋲５を貫通させて締結し、複数の台枠１同士を接合固着するものである。この締結固着によりフレックスコンテナ開口支持機器を構成する。【００１９】  支柱２の傾倒時の復元力の設定については、フレックスコンテナの開口に必要な張力に見合った値で設定する必要がある。
この張力の設定は支柱に用いるじん性の大きいばね鋼等の棒材の材質、長さ、直径等を調整して行う。【００２０】  各支柱２の上端には環状のフック３はフレックスコンテナ開口支持機器をクレーン等で吊上げる際にロープ等を係合して吊り上げ、移動することができる。【００２１】  フレックスコンテナ開口支持機器の用法は、本機器を角型のパレットの中心に置いて、フレックスコンテナの上端開口部の上方カバー耳部を複数の支柱２に固着して設けた環状のフック３に系合し、円周の該上方カバー耳部を外側下方に折り返して容易にセットできる。【００２２】  本機器を角型のパレットの上面に置くことで、充填物を投入完了したフレックスコンテナの移動はフォークリフトを用いて行うことが出きると共に、クレーン等で直接フレックスコンテナを吊り上げることも可能となる。【００２３】  台枠１の構成は囲型形状等もあるが、開口支持機器の製作や納入移動時の経費等を考慮して最適な方法手段を選択することが望ましい。
【図面の簡単な説明】
【００２４】
【図１】本発明の実施例を示す平面図。
【図２】本発明の側面図（１／２）。
【符号の説明】
【００２５】１            台枠
２            支柱
３            フック
４            接合材
５            釘鋲
６            接合孔
【図１】
2012201415.tif 000003
【図２】
2012201415.tif 000004